(57)【要約】【課題】  自然光に近い偏りのない分光分布曲線の出射光が得られる室内照明灯を提供し、演色性の向上を図る。【解決手段】  車両の内装材２３に設けられた開口２５に取付可能なハウジング２７にレンズ２９が固定された意匠部３１と、意匠部３１に支持されることにより内装材２３の裏面側に配置される機能部３５とを具備した室内照明灯２１であって、機能部３５に、分光分布の異なる２つの光源３３ａ、３３ｂを設けた。【選択図】図１
2005271632.tif 000002
【特許請求の範囲】
【請求項１】
車両の内装材に設けられた開口に取付可能なハウジングにレンズが固定された意匠部と、
該意匠部に支持されることにより前記内装材の裏面側に配置される機能部とを具備した室内照明灯であって、
前記機能部が、分光分布の異なる２つの光源を備えたことを特徴とする室内照明灯。
【発明の詳細な説明】
【技術分野】
【０００１】
本発明は、室内照明灯に関し、さらに詳しくは、出射光の演色性を向上させる改良技術に関する。
【背景技術】
【０００２】
車両には、逆光を遮るためのサンバイザが設けられているのが普通である。図９に示すように、このようなサンバイザ１の中には、バックミラーとは別に小型の化粧用ミラー（バニティミラー３）が設けられている場合がある。
【０００３】
このようにサンバイザ１にバニティミラー３が設けられている場合、夜間でもバニティミラー３を使用できるようにするため、図１０に示すように、天井のフロントガラス寄りに室内照明灯５が設けられている場合がある。この室内照明灯５は、天井のほぼ中央に設けられているドームランプとは別個に設けられ、光源にフィラメントを採用したバルブ（電球）の用いられることが多い。
【０００４】
また、この室内照明灯５は、図１１に示すように、サンバイザ１を天井側に折りたたんだときに、サンバイザ１によって隠される位置に設けられている。この室内照明灯５は、バニティミラー３を使用するときだけに用いるので、ドームミラーに比べて非常に小型である。
【０００５】
さらに、サンバイザ１のバニティミラー３には、スライドさせて開閉する図１２に示すカバー７が設けられている場合がある。また、カバー７を開けたときに室内照明灯５が点灯するように構成されている場合がある。
【０００６】
また、近年では、図１３に示すように、バニティミラー３の近傍に室内照明灯５を付設し、カバー９を設けたサンバイザ１１も普及しており、特に、付加価値を高めた高級車種や、構造上ルームランプの設けられないコンバーティブルタイプの乗用車などに多用される傾向にある。
【０００７】
【特許文献１】特開２００２−６７７８９号公報
【特許文献２】特開２００２−２１８６３５号公報
【特許文献３】特開２００２−３４５１４３号公報
【特許文献４】特開平８−１３２８７３号公報
【発明の開示】
【発明が解決しようとする課題】
【０００８】
しかしながら、光源にフィラメントを採用した室内照明灯からの出射光は、可視光波長領域で波長ごとの成分に偏りの生じることが多い。
図１４は自然光（太陽光）の分光分布図、図１５はフィラメント光源からの出射光の分光分布図である。これらの分光分布図は光を波長成分に分け、波長ごとにその成分の量を並べたときの曲線で分光波長成分の分布を表している。図１５からも分るように、フィラメント光源からの出射光は、図１４に示した自然光に比べ、短波長領域の成分が少ない一方、長波長領域の成分が多く、光エネルギーが一様に含まれている自然光よりも物の見え方が不自然となる（すなわち、演色性の劣る）問題があった。したがって、室内照明灯を点灯すると、物が赤みを帯びて見え、特に青色の物が自然に見え難くなった。この結果、例えば、化粧が自然光下の場合と同様に行えない等の弊害が生じた。
本発明は上記状況に鑑みてなされたもので、自然光に近い偏りのない分光分布曲線の出射光が得られる室内照明灯を提供し、もって、演色性の向上を図ることを目的とする。
【課題を解決するための手段】
【０００９】
上記目的を達成するための本発明に係る室内照明灯は、車両の内装材に設けられた開口に取付可能なハウジングにレンズが固定された意匠部と、該意匠部に支持されることにより前記内装材の裏面側に配置される機能部とを具備した室内照明灯であって、前記機能部が、分光分布の異なる２つの光源を備えたことを特徴とする。
【００１０】
この室内照明灯では、２つの光源からの出射光が混合されると、レンズから最終的に出射される光が、分光分布曲線で偏りのない出射光に色補正される。したがって、例えば、赤みを帯びたフィラメントからの発光光と、この発光光と補色関係にある青色光とが混合されれば、分光波長成分の一様に含まれた自然光に近い出射光が得られることになる。
【発明の効果】
【００１１】
本発明に係る室内照明灯によれば、機能部が、分光分布の異なる２つの光源を備えたので、２つの光源からの出射光が混合されると、レンズから最終的に出射される光が、分光分布曲線で偏りのない出射光に色補正される。したがって、例えば、赤みを帯びたフィラメントからの発光光と、この発光光と補色関係にある青色光とが混合されれば、分光波長成分の一様に含まれた自然光に近い出射光が得られることになる。この結果、演色性が向上して、自然光下と同様の色表現が可能となり、例えば、室内照明灯での化粧を自然に行うことができるようになる。
【発明を実施するための最良の形態】
【００１２】
以下、本発明に係る室内照明灯の好適な実施の形態を図面を参照して説明する。
図１は本発明に係る室内照明灯の第１の実施の形態を表す断面図、図２は図１のＡ−Ａ断面図である。
本発明に係る実施形態の室内照明灯２１は、車両の天井トリム（内装材）２３に設けられた開口２５に取付可能なハウジング２７にレンズ２９が固定された意匠部３１と、この意匠部３１に支持されることにより天井トリム２３の裏面２３ａ側に配置され、かつ、２つの光源であるバルブ（電球）３３ａ、３３ｂを備える機能部３５とを有している。また、意匠部３１のハウジング２７には、クリップ３７が設けられている。機能部本体３９には、フラット電線４１を接続する圧接刃（図示せず）が設けられている。
【００１３】
この室内照明灯２１は、車両の天井トリム２３に取り付けられ、一方の側端部を中心として回転することにより開閉自在な図１１に示したサンバイザ１によって隠れる位置に配置される。室内照明灯２１を点灯する場合は、サンバイザ１をフロントガラス側に開く。  次に、サンバイザ１の天井トリム２３側の面に設けられた図１２に示したカバー７を開く。そうすると、サンバイザ１に設けられている図９に示すバニティミラー３が露出される。これと同時に、室内照明灯２１が点灯され、バニティミラー３に映る画面を明瞭に見ることができるようになっている。
【００１４】
ところで、バルブ３３ａは、図２に示すように、フィラメント４３と、このフィラメント４３を覆いフィラメント４３からの光Ｌ１を透過させる保護部材４５とからなる。保護部材４５は、光Ｌ１に対して無色透明の材質からなる。図１５に示したフィラメント４３の発光により得られる所定の色度は、図１４に示した自然光に比べ、短波長領域の成分が少ない一方、長波長領域の成分が多く、光エネルギーが一様に含まれている自然光よりも物の見え方が不自然となる（すなわち、演色性が劣る。具体的には、物が赤みを帯びて見え、特に青色の物が自然に見え難くなる）。
【００１５】
色は、色相、彩度、明度の３要素によって定めることができる。ここで、色相は、色と同じ色感を起こすスペクトル単色光の波長で表される。彩度は、白・灰・黒色の混ざっている度合いで表される。明度は、眼に感じる光の強弱を示す量で表される。そして、色度は、明度を除いた光の色（すなわち、色相と彩度）の種別を数量的に規定したものとなっている。
【００１６】
また、眼に入る色は、２つの種類に分けることができる。１つは光源から直接眼に入る光で、光源色と呼ばれる。もう１つは光源から物体に反射されて眼に入る光で、物体色と呼ばれる。光源色は、単一波長の光を色として感じる場合もあるが、カラーモニターのように幾つかの波長の光が足し合わされて色として感じられる場合もある。このように、３原色である赤（Ｒ）、緑（Ｇ）、青（Ｂ）の光を重ね合わせて色を作るものに加色法がある。この加色法は、シアン、マゼンタ、イエローの３原色のインクを重ね合わせることで眼に届く光をそれだけ減らす減色法と異なる。
【００１７】
図３は加色法におけるフィラメント光の色度を表す色度図である。
図３において、ｘはＲの割合を、ｙはＧの割合を示す。図には示していないが、ｚをＢの割合としたとき、常にｘ＋ｙ＋ｚ＝１の関係があるとしている。図中、ＷはＲ、Ｇ、Ｂの成分比が１：１；１である白色の色度の点を示し、この場合、座標は略ｘ＝０．３３、ｙ＝０．３３、（ｚ＝０．３３）となる。図に示すＷに近い領域ｆ０は実用上白色とみなされる領域となる。また、領域ｆ０から左側に外れた領域ｆ１は青又はＣ（シアン；明るい青色）系の中間色であり、右側に外れた領域ｆ２は赤又はＹ（イエロー）系の中間色であり、上側に外れた領域ｆ３は緑系の中間色であり、下側に外れたｆ４はＭ（マゼンタ；赤紫）系の中間色となる。フィラメント４３の色度は、赤又はＹ（イエロー）系の中間色である領域ｆ２の範囲に分布する。
【００１８】
本実施の形態では、バルブ３３ａからの発光光Ｌ１がレンズ２９から出射される。また、これと同時に、バルブ３３ｂからの発光光Ｌ２もレンズ２９から出射される。ここで、バルブ３３ｂの分光分布は、バルブ３３ａの分光分布と異なるものとなっている。すなわち、バルブ３３ｂは、赤みを帯びたバルブ３３ａの色度（領域ｆ２の色度）と補色関係にある色度（領域ｆ１の色度）である青又はＣ（シアン）系の中間色光（以下、単に「青色光」と称す。）を出射する。
【００１９】
この青色光への着色は、例えばバルブ３３ｂの保護部材４５の表面にインク層４７を形成することによって行うことができる。また、着色は、ガラス或いは透明な合成樹脂材からなる保護部材４５に、着色剤を加えることで行ってもよい。
【００２０】
バルブ３３ａからの赤みを帯びた光Ｌ１と、バルブ３３ｂからの青色光Ｌ２とが同時に出射されて重ね合わせられると、赤色成分の多い（換言すれば、青色成分の少ない）発光光Ｌ１に、光Ｌ２の青色成分が加色され、最終的にレンズ２９から出射される光Ｌが、分光分布曲線で偏りのない出射光に色補正されることとなる。このような複数の出射光が重ね合わされて加色される作用としては、光混合等が挙げられる。
【００２１】
バルブ３３ａとバルブ３３ｂとは、フィラメント４３、保護部材４５、駆動電圧が同一構成であってもよく、異なる構成であってもよい。これらの構成要素が異なるものである場合には、バルブ３３ｂは、バルブ３３ａよりも青色光の強いことが好ましい。また、フィラメント４３、保護部材４５、駆動電圧の構成要素が同一である場合、バルブ３３ｂは、インク層４７が形成されることで、バルブ３３ａより赤色成分が低減された分光分布を有することとなる。つまり、この場合には、図４に示すように、赤色成分のみがカットされ、青色成分は略同一となる。そしてこの構成においても、赤色成分の多いバルブ３３ａからの発光光Ｌ１と、赤色成分のカットされたバルブ３３ｂからの発光光Ｌ２とが光混合されれば、赤色成分に比べ青色成分の混合比率が高くなり、最終的に出射される光Ｌが分光分布曲線でより偏りのない（自然光に近い）出射光へと色補正されることになる。
【００２２】
したがって、本実施の形態による室内照明灯２１によれば、機能部３５が、分光分布の異なる２つのバルブ３３ａ、バルブ３３ｂを備えたので、２つのバルブ３３ａ、バルブ３３ｂからの出射光Ｌ１、Ｌ２が混合されると、レンズ２９から最終的に出射される光Ｌが、分光分布曲線で偏りのない出射光に色補正される。この結果、演色性が向上して、自然光下と同様の色表現が可能となり、例えば、室内照明灯２１での化粧を自然に行うことができるようになる。また、バルブ３３ａに加えて、バルブ３３ｂを設けた２灯式としたので、バルブ３３ａのみを用いた１灯式で色補正を行う場合に比べ、高い照度を得ることができる。
【００２３】
次に、本発明に係る室内照明灯の第２の実施の形態を説明する。
図５は本発明に係る室内照明灯の第２の実施の形態を表す要部拡大図である。なお、図１に示した部材と同一の部材には同一の符号を付し、重複する説明は省略するものとする。
この実施の形態による室内照明灯は、バルブ３３ｂに代えて発光ダイオード（ＬＥＤ）５１が機能部本体３９に設けられている。発光ダイオード５１は、バルブ３３ｂの場合と同様に、赤みを帯びたバルブ３３ａの色度（領域ｆ２の色度）と補色関係にある色度（領域ｆ１の色度）の青色光Ｌ２を出射する。発光ダイオード５１は、単体で青色光Ｌ２を出射させるものを採用することができる。この場合、発光ダイオード５１としては、ＧａＮ系青色ＬＥＤ、ＳｉＣ青色ＬＥＤ、II−VI族青色ＬＥＤ等を用いることができる。また、発光ダイオード５１は、単体を発光させ、図示しない蛍光体層に含まれている蛍光体が発光ダイオード５１からの光を受けて、青色光Ｌ２を再発光するように構成してもよい。
【００２４】
この室内照明灯によれば、上記の室内照明灯２１の場合と同様に、レンズ２９から最終的に出射される光Ｌが、分光分布曲線で偏りのない出射光に色補正され、演色性が向上して、自然光下と同様の色表現が可能となる。これに加え、バルブ３３ｂに代えて発光ダイオード５１を用いることで、消費電力を低減し、点灯寿命を長くすることができるとともに、省スペース化も図れ、しかも、２灯式であっても点灯時の発熱量を増大させずに済む。
【００２５】
次に、本発明に係る室内照明灯の第３の実施の形態を説明する。
図６は本発明に係る室内照明灯の第３の実施の形態を表す要部拡大図である。なお、図１に示した部材と同一の部材には同一の符号を付し、重複する説明は省略するものとする。
この実施の形態による室内照明灯は、機能部３５に、フィラメント４３を光源とするバルブ３３ａを備えていない。すなわち、本実施の形態による機能部３５には、２つの発光ダイオード６１、６３が設けられている。このうち、一方の発光ダイオード６１は、図３に示した領域ｆ２の範囲に分布する黄色系の色度を有する光Ｌ３を出射する。また、他方の発光ダイオード６３は、図３に示した領域ｆ１の範囲に分布する青色系の色度を有する光Ｌ４を出射する。
【００２６】
この場合、発光ダイオード６１としては、ＧａＡｓＰ系橙色・黄色ＬＥＤ、ＧａＡｌＡｓ系ＬＥＤ、ＩｎＧａＡｌＰ系橙・黄色ＬＥＤを用いることができる。また、発光ダイオード６３としては、ＧａＮ系青色ＬＥＤ、ＳｉＣ青色ＬＥＤ、II−VI族青色ＬＥＤ等を用いることができる。なお、加色法において、赤色光と緑色光を重ね合わせると黄色光となり、本実施の形態のように、黄色光と青色光とを重ね合わせると白色光となる。
【００２７】
したがって、この室内照明灯によれば、上記の室内照明灯２１の場合と同様に、レンズ２９から最終的に出射される光Ｌが、分光分布曲線で偏りのない出射光に色補正され、演色性が向上して、自然光下と同様の色表現が可能となる。これに加え、２灯式の両方の光源に発光ダイオード６１、６３を用いることで、消費電力を低減し、点灯寿命を長くすることができるとともに、省スペース化も図れ、しかも、フィラメント発光式のバルブを光源に用いる場合に比べ、消費電力を大幅に削減することができる。
【００２８】
次に、第３の実施の形態の変形例を説明する。
図７は白色ＬＥＤの分光分布図、図８は赤色ＬＥＤの分光分布図である。
この変形では、図６に示した一方の発光ダイオード６１が青色に発光し、かつ黄色の蛍光体によって着色されている。したがって、発光ダイオード６１は、図７に示す分光分布、すなわち、白色の発光光Ｌ３を出射する。また、発光ダイオード６３は、図８に示すように、赤色成分の発光光Ｌ４を出射する。
したがって、この変形例では、発光ダイオード６１自体が自然光に近い白色光を出射するのに加え、発光ダイオード６３が、発光ダイオード６１で不足する赤色成分を補うことで、より自然光に近い光Ｌへと色補正されることになる。
【００２９】
なお、上記の実施の形態では、室内照明灯２１が天井トリム２３に設けられる場合を例に説明したが、本発明に係る室内照明灯は、図１３に示したように、サンバイザ１に設けられるものであっても、上記の効果と同様の効果を奏するものである。
【図面の簡単な説明】
【００３０】
【図１】本発明に係る室内照明灯の第１の実施の形態を表す断面図である。
【図２】図１のＡ−Ａ矢視図である。
【図３】フィラメント光の色度を表す色度図である。
【図４】図４は青色バルブの分光分布図である。
【図５】本発明に係る室内照明灯の第２の実施の形態を表す要部拡大図である。
【図６】本発明に係る室内照明灯の第３の実施の形態を表す要部拡大図である。
【図７】白色ＬＥＤの分光分布図である。
【図８】赤色ＬＥＤの分光分布図である。
【図９】バニティミラーを備えたサンバイザの正面図である。
【図１０】室内照明灯が設けられたフロントガラス寄り天井部の断面図である。
【図１１】サンバイザの折りたたまれた天井部の断面図である。
【図１２】カバーの設けられたサンバイザの正面図である。
【図１３】室内照明灯を付設したサンバイザの斜視図である。
【図１４】自然光（太陽光）の分光分布図である。
【図１５】フィラメント光源からの出射光の分光分布図である。
【符号の説明】
【００３１】
２１  室内照明灯
２３  天井トリム（内装材）
２５  開口
２７  ハウジング
２９  レンズ
３１  意匠部
３３ａ、３３ｂ  バルブ（光源）
３５  機能部
４３  フィラメント
４５  保護部材
【図１】
2005271632.tif 000003
【図２】
2005271632.tif 000004
【図３】
2005271632.tif 000005
【図４】
2005271632.tif 000006
【図５】
2005271632.tif 000007
【図６】
2005271632.tif 000008
【図７】
2005271632.tif 000009
【図８】
2005271632.tif 000010
【図９】
2005271632.tif 000011
【図１０】
2005271632.tif 000012
【図１１】
2005271632.tif 000013
【図１２】
2005271632.tif 000014
【図１３】
2005271632.tif 000015
【図１４】
2005271632.tif 000016
【図１５】
2005271632.tif 000017